(57)【要約】【課題】発泡断熱材に、ポンプ取付金具を埋設する必要がなく、発泡断熱材の成型コストが安くなり、また、発泡断熱材のリサイクル性を悪くすることがなくて、ポンプを簡単に据え付けることができるポンプ固定構造および貯湯式給湯装置を提供すること。【解決手段】配管１の直管部２２に連なる取付フランジ部１１を、取付板３に固定し、かつ、ポンプ２を、配管１自体の接続フランジ部１３にポンプフランジ５３を介して固定し、他の金具を用いない。【選択図】図１
2014055704.tif 000002
【特許請求の範囲】
【請求項１】
台（３）に密着して取り付けられる取付フランジ部（１１）と、この取付フランジ部（１１）に連なる管部（１２）と、この管部（１２）に連なる接続フランジ部（１３，１４）とを一体に有する配管（１）と、
上記接続フランジ部（１３）にポンプフランジ（５３）で連結されて支持されると共に、他の金具で支持されていないポンプ（２）と
を備えることを特徴とするポンプ固定構造。
【請求項２】
請求項１に記載のポンプ固定構造において、
上記管部（１２）は、上記取付フランジ部（１１）に連なる直管部（２２）と、この直管部（１１）から屈曲した屈曲管部（２３）を有し、この屈曲管部（２３）の先端に上記接続フランジ（１３）が連なっており、
上記直管部（２２）と取付フランジ部（１１）とを連結すると共に、上記直管部（２２）と屈曲管部（２３）を含む平面上に位置するリブ（２４，２５）を備えることを特徴とするポンプ固定構造。
【請求項３】
請求項１または２に記載のポンプ固定構造において、
上記管部（１２）は、上記台（３）を貫通して、その台（３）を貫通した上記管部（１２）の先端部には、栓がされていることを特徴とするポンプ固定構造。
【請求項４】
請求項１から３のいずれか１つに記載のポンプ固定構造を有する貯湯式給湯装置。
【発明の詳細な説明】
【技術分野】
【０００１】
この発明は、ポンプ固定構造およびそれを有する貯湯式給湯装置に関する。
【背景技術】
【０００２】
従来、貯湯式給湯装置に使用されるポンプ固定構造としては、特開２０１２−４２２０６号公報（特許文献１）に記載のものがある。このポンプ固定構造では、貯湯式タンクの回りに設ける発泡断熱材中に、取付金具をインサート成型で埋設し、この取付金具に、ポンプをねじで固定している。
【０００３】
しかしながら、上記従来のポンプ固定構造では、発泡断熱材の中に取付金具をインサート成型で埋設しているため、発泡断熱材の成型コストが高くなると言う問題があり、また、発泡断熱材のリサイクル性も悪くなるという問題がある。
【先行技術文献】
【特許文献】
【０００４】
【特許文献１】特開２０１２−４２２０６号公報
【発明の概要】
【発明が解決しようとする課題】
【０００５】
そこで、この発明の課題は、発泡断熱材の成型コストを高くすることがなく、また、発泡断熱材のリサイクル性に悪影響を与えることがないポンプ固定構造およびそれを有する貯湯式給湯装置を提供することにある。
【課題を解決するための手段】
【０００６】
上記課題を解決するため、この発明のポンプ固定構造は、
台に密着して取り付けられる取付フランジ部と、この取付フランジ部に連なる管部と、この管部に連なる接続フランジ部とを一体に有する配管と、
上記接続フランジ部にポンプフランジで連結されて支持されると共に、他の金具で支持されていないポンプと
を備えることを特徴としている。
【０００７】
上記構成のポンプ固定構造によれば、上記ポンプは、上記配管自体の接続フランジ部に、ポンプフランジで連結されて支持されると共に、他の金具で支持されていないため、発泡断熱材に、ポンプ取付金具を埋設する必要がなく、発泡断熱材の成型コストが安くなり、また、発泡断熱材のリサイクル性を悪くすることがない。
【０００８】
また、この発明のポンプ固定構造では、上記台に密着して取り付けられる取付フランジ部を有する配管の接続フランジ部に、ポンプフランジを連結して固定するだけで、ポンプを固定できるので、ポンプを簡単に据え付けることができる。
【０００９】
１実施形態では、
上記管部は、上記取付フランジ部に連なる直管部と、この直管部から屈曲した屈曲管部を有し、この屈曲管部の先端に上記接続フランジが連なっており、
上記直管部と取付フランジ部とを連結すると共に、上記直管部と屈曲管部を含み平面上に位置するリブを備える。
【００１０】
上記実施形態によれば、上記直管部と屈曲管部を含み平面上に、上記直管部と取付フランジ部とを連結するリブを設けているので、直管部から屈曲した屈曲管部の先端にポンプを固定していても、直管部の倒れ、曲がりを防止できる。
【００１１】
なお、上記屈曲管部は、直管部から直線状に屈曲してもよく、あるいは、曲線状、つまり、弧状に屈曲してもよい。
【００１２】
１実施形態では、
上記管部は、上記台を貫通して、その台を貫通した上記管部の先端部には、栓がされている。
【００１３】
上記実施形態によれば、上記台を貫通した管部の先端部には、栓がされているから、この栓を外して、ポンプ等からの残水、ドレン等を簡単に排出することができる。
【００１４】
この発明の貯湯式給湯装置は、上記ポンプ固定構造を有する。
【００１５】
この発明の貯湯式給湯装置は、上述のポンプ固定構造を有するから、ポンプを簡単安価に固定でき、かつ、発泡断熱材の成型コストを高くすることがなく、かつ、発泡断熱材のリサイクル性を悪くすることがない。
【発明の効果】
【００１６】
この発明のポンプ固定構造によれば、ポンプは、配管自体の接続フランジ部に、ポンプフランジで連結されて支持されると共に、他の金具で支持されていないから、発泡断熱材に、ポンプ取付金具を埋設する必要がなく、発泡断熱材の成型コストが安くなり、また、発泡断熱材のリサイクル性を悪くすることがない。
【００１７】
また、この発明のポンプ固定構造では、台に密着して取り付けられる取付フランジ部を有する配管の接続フランジ部に、ポンプフランジ部を連結して固定するだけで、ポンプを固定できるので、ポンプを簡単に据え付けることができる。
【００１８】
この発明の貯湯式給湯装置は、上述のポンプ固定構造を有するから、ポンプを簡単安価に固定でき、かつ、発泡断熱材の成型コストを高くすることがなく、かつ、発泡断熱材のリサイクル性を悪くすることがない。
【図面の簡単な説明】
【００１９】
【図１】この発明に１実施形態のポンプ固定構造の斜視図である。
【図２】上記実施形態のポンプ固定構造が使用される貯湯式給湯装置の要部の斜視図である。
【図３】上記実施形態のポンプ固定構造の配管の斜視図である。
【図４】上記配管の断面図である。
【図５】上記実施形態のポンプ固定構造の配管の斜視図である。
【図６】上記実施形態において、取付板に取付フランジ部を固定する動作を説明する図である。
【図７】上記実施形態において、取付板に取付フランジ部を固定する動作を説明する図である。
【図８】上記実施形態において、取付板に取付フランジ部を固定する動作を説明する図である。
【図９】上記実施形態に用いるファスナの斜視図である。
【図１０】上記ファスナを装着した状態を示す図である。
【発明を実施するための形態】
【００２０】
以下、この発明を図示の実施形態により詳細に説明する。
【００２１】
図１に示すように、この実施形態の貯湯式給湯装置のポンプ固定構造は、配管１と、ポンプ２とからなり、上記配管１は、台３に固定されている。
【００２２】
上記台３は、図２に示すように、貯湯式給湯装置の貯湯タンク４，５を支持する脚６，７から張り出した腕８，９に取り付けた取付板３であり、この取付板３に、ポンプ２等の機器、部品等が取り付けられる。上記貯湯タンク４，５の回りは、図示しないが、発泡断熱材で覆われている。
【００２３】
上記配管１は、例えば、ＰＰＳ（ポリフェニレンサルファイド）樹脂等の合成樹脂で一体に成型されている。勿論、合成樹脂は、ＰＰＳ以外の他の樹脂であってもよい。
【００２４】
上記配管１は、図３に示すように、取付フランジ部１１と、この取付フランジ部１１に連なる管部１２と、この管部１２に連なる接続フランジ部１３，１４とを一体に有する。上記取付フランジ部１１は、図１および２に示す台の一例としての取付板３に密着して固定される。上記管部１２は、取付フランジ部１１に連なる直管部２２、この直管部２２からＴ字状に屈曲した屈曲管部２３とからなる。この屈曲管部２３の先端に接続フランジ部１３が設けられており、直管部２２の先端に接続フランジ部１４が設けられている。上記直管部２２と取付フランジ部１１とを連結するリブ２４，２５が直管部２２の中心に対して点対称に設けられていて、このリブ２４，２５は、直管部２２と屈曲管部２３を含み平面上に位置している。
【００２５】
図４は、図３の縦断面図であり、接続フランジ部１３，１４のからの突出部２７，２８には、Ｏリング溝２９，３０が設けられている。
【００２６】
一方、図５に示すように、上記取付フランジ部１１の裏面には、管部１２の下端側である下端側管部３２が突出しており、この下端側管部３２には、図４に示すように、ねじ穴４１と先細面４２とを設けて、このねじ穴４１に図示しない栓をねじ込んで、栓の先端を先細面４２に当接させてシールを行うようにしている。
【００２７】
また、図５に示すように、上記下端側管部３２から、翼状の挟持部３５，３５が半径方向に１８０度の位相で突出している。この挟持部３５，３５は、取付フランジ部１１の裏面に間隔をあけて対向し、この取付フランジ部１１の裏面との隙間を徐々に狭くするような傾斜面３５ａを有している。また、上記取付フランジ部１１の裏面には、係合用の円板状または半球状の第１突起３６，３６と姿勢安定用の直方体状の第２突起３７，３７を設けている。
【００２８】
そして、図６に示すように、作業者は、取っ手としても機能するリブ２４，２５を持って、下端側管部３２と挟持部３５，３５とを、取付板３の図６に示す円形穴から略矩形の穴が半径方向に１８０度の位相で突出している形状の取付穴１０１に挿入して、図７に示すように、取付フランジ部１１を取付板３に当接させて、取付フランジ部１１を、挟持部３５、３５および第１，第２突起３６，３７と共に、下側管部３２の中心軸を中心として矢印方向に回転させると、取付フランジ部１１の裏面と挟持部３５の傾斜面３５ａとによって、取付板３が徐々に締め付けられて、取付板３に取付フランジ部１１が固定される。このとき、図８に示すように、第１突起３６，３６が、取付板１１に設けられた円形の係合穴１０３，１０３に係合して、取付フランジ部１１の正転、逆転が防止されて、取付板１１に対する取付フランジ部１１の固定の緩みが防止される。
【００２９】
なお、第２突起３７，３７は、取付フランジ部１１を回転させるときに、第１突起３６，３６の存在によって、取付フランジ部１１が傾くのを防止するためのもので、取付板１１に取付フランジ部１１が固定されたときには、図８に示すように、取付穴１０１内に位置する。
【００３０】
このようにして、上記取付板３に配管１の取付フランジ部１１が固定される。そして、図１に示すように、上記配管１の屈曲管部２３の先端の接続フランジ部１３に、ポンプ２のポンプフランジ５３が重ね合わされて、ポンプ２が配管１に固定される。図１には、図示していないが、接続フランジ部１３とポンプフランジ５３とは、例えば、図９に示すファスナ６０により、固定される。このファスナ６０は、バネ鋼等の弾性材料から形成されており、基部６１から略半円弧状のアーム６２，６２が延びている。このアーム６２，６２にはスリット６３，６３が設けられており、アーム６２，６２の先端は末拡がり部６４，６４になっている。そして、このスリット６３，６３に、接続フランジ部１３とポンプフランジ５３とが挿入されて、接続フランジ部１３とポンプフランジ５３とが連結されて固定される。このように、ポンプ２は、接続フランジ部１３とポンプフランジ５３との連結、固定のみによって、配管１自体に支持されて、他の金具で支持されていない。
【００３１】
なお、上記接続フランジ部１３とポンプフランジ５３とは、ファスナ６０を用いないで、図示しないボルトやビスで固定するようにしてもよい。
【００３２】
上記接続フランジ部１３とポンプフランジ５３との間は、図４に示すＯリング溝２９に挿入された図示しないＯリングによって、シールされる。
【００３３】
上記構成のポンプ固定構造によれば、配管１の直管部２２に連なる取付フランジ部１１を、取付板３に固定し、かつ、ポンプ２を、配管１自体の接続フランジ部１３にポンプフランジ５３を介して固定するだけで、他の金具でポンプ２を支持していないため、発泡断熱材に、従来例のようにポンプ取付金具を埋設する必要がなく、発泡断熱材の成型コストが安くなり、また、発泡断熱材のリサイクル性を悪くすることがない。
【００３４】
また、この実施形態のポンプ固定構造では、取付板３に密着して取り付けられる取付フランジ部１１を有する配管１の接続フランジ部１３に、ポンプフランジ部を連結して固定するだけで、ポンプを固定できるので、ポンプ２を簡単に据え付けることができる。
【００３５】
また、この実施形態では、上記取付フランジ部１１に連なる直管部２２からＴ字状に屈曲した屈曲管部２３の先端に、接続フランジ部１３とポンプフランジ５３とによって、ポンプ２を固定しているが、直管部２２と取付フランジ部とを連結するリブ２４，２５を、直管部２２と屈曲管部２３を含み平面上に配置しているので、直管部２２からＴ字上に屈曲した屈曲管部２３の先端にポンプ２を固定していても、直管部２２の倒れ、曲がりを防止できる。
【００３６】
また、この実施形態では、取付板３を貫通した管部１２の先端、つまり、下側管部３２の先端には、栓がされているから、この栓を外して、ポンプ２等からの残水、ドレン等を簡単に排出することができる。
【００３７】
また、図１，２に要部を示す貯湯式給湯装置は、上述のポンプ固定構造を有するから、ポンプ２を簡単安価に固定でき、かつ、発泡断熱材の成型コストを高くすることがなく、かつ、発泡断熱材のリサイクル性を悪くすることがない。
【００３８】
上記ポンプ２は、主として、合成樹脂で製作すると、軽量化できて好ましいが、アルミニウム等の軽量金属、あるいは、鉄系等の金属で製作してもよい。
【００３９】
また、上記配管１は、合成樹脂で製作しているから、簡単に、一体成型することができる。尤も、配管は、金属で製作してもよい。
【００４０】
また、上記実施形態では、取付フランジ部１１を取付板３に、挟持部３５，３５と第１突起３６，３６で固定しているが、取付フランジ部を取付板にボルトやビスで固定するようにしてもよい。
【００４１】
また、上記実施形態では、管部１２において、直管部２２から屈曲管部２３がＴ字状に屈曲しているが、屈曲管部は、Ｌ字状に屈曲してもよく、また、屈曲管部は、湾曲して曲線状に屈曲していてもよい。
【００４２】
また、上記実施形態では、接続フランジ部１３にポンプフランジ５３をファスナ６０で固定しているが、ファスナ６０を用いないで、接続フランジ部１３とポンプフランジ５３とをボルトやビスで固定するようにしてもよい。
【００４３】
また、上記実施形態では、台の一例として、取付板３を用いたが、台としてブロックを用いてもよい。
【００４４】
また、上記実施形態は、ポンプ固定構造を貯湯式給湯装置に用いた例であるが、この発明のポンプ固定構造は、貯湯式給湯装置に限らず、ポンプを用いる装置ならば、どのような装置にも適用できる。
【符号の説明】
【００４５】
１    配管
２    ポンプ
３    台
１１  取付フランジ部
１２  管部
１３，１４  接続フランジ部
２２  直管部
２３  屈曲管部
２４，２５  リブ
【図１】
2014055704.tif 000003
【図２】
2014055704.tif 000004
【図３】
2014055704.tif 000005
【図４】
2014055704.tif 000006
【図５】
2014055704.tif 000007
【図６】
2014055704.tif 000008
【図７】
2014055704.tif 000009
【図８】
2014055704.tif 000010
【図９】
2014055704.tif 000011
【図１０】
2014055704.tif 000012